(57)【特許請求の範囲】
【請求項１】
ベース部から立ち上がる立上り壁を有し、該立上り壁の上端面には、樹脂成型時に樹脂材料を注入して形成されるゲート部が露出している樹脂成型品であって、立上り壁の外観側とは反対側の内面には、前記ゲート部を挟んで両側部に、立上り壁の肉厚を立上り壁の上端面へ向かって徐々に減少させる絞り面が形成されており、
前記ゲート部は、前記絞り面から突出する突出部を有し、該突出部は、頂点が立上り壁の内面に位置して該頂点からゲート部の上端面に向かって扇形状に拡がる逆円錐面の外周面を露出させていることを特徴とする樹脂成型品。
【請求項２】
樹脂成型品を用いた表示装置であって、
該樹脂成型品は、ベース部から立ち上がる立上り壁を有し、該立上り壁の上端面には、樹脂成型時に樹脂材料を注入して形成されるゲート部が露出しており、
立上り壁の外観側とは反対側の内面には、前記ゲート部を挟んで両側部に、立上り壁の肉厚を立上り壁の上端面へ向かって徐々に減少させる絞り面が形成されており、
前記ゲート部は、前記絞り面から突出する突出部を有し、該突出部は、頂点が立上り壁の内面に位置して該頂点からゲート部の上端面に向かって扇形状に拡がる逆円錐面の外周面を露出させていることを特徴とする樹脂成型品を用いた表示装置。
【発明の詳細な説明】
【技術分野】
【０００１】
本発明は、表示装置を構成するキャビネット等の樹脂成型品に関するものである。
【背景技術】
【０００２】
一般に、表示装置としてのテレビジョン受像機の筐体は、フロントキャビネットとバックキャビネットを互いに接合してなり、例えばフロントキャビネットは、画面を露出させるための大きな開口を有する前面壁と該前面壁を包囲する周壁とから構成されている。
【０００３】
この様なキャビネットは、図７に示す如き一対の金型部材(91)(92)からなる金型を用いて、樹脂成型によって形成される。
一対の金型部材(91)(92)を組み合わせることによって、両金型部材(91)(92)間には、樹脂材料を充填するためのキャビティ(93)が形成され、該キャビティ(93)は、キャビネットの前面壁を形成するための第１キャビティ部(94)と、キャビネットの周壁を形成するための第２キャビティ部(95)とを有している。
【０００４】
ところで、金型を用いた樹脂成型方法においては、スプルーやランナーを設けることなく、図７に示す如く、ダイレクトゲート(９)からキャビティ(93)へ直接に樹脂材料を注入するダイレクトゲート方式が知られている(特許文献１参照)。
ダイレクトゲート方式によってキャビネットを成型した場合、図６に示す如くキャビネットの周壁となる立上り壁(７)には、ダイレクトゲートからの樹脂材料が最初に流入する柱状の空間に樹脂材料が充填されて固化した部分(以下、ゲート部と称する)(８)が形成されることになる。
ダイレクトゲート方式によれば、スプルーやランナーの容積分だけ樹脂材料を節減することが出来る。
【先行技術文献】
【特許文献】
【０００５】
【特許文献１】特開２００９−１３７０８７号公報
【発明の概要】
【発明が解決しようとする課題】
【０００６】
しかしながら、図７に示す様に、立上り壁を形成するためのキャビティ部(95)の上端に直接にダイレクトゲート(９)を設置して、該ダイレクトゲート(９)から樹脂材料を注入したとき、特に立上り壁の肉厚が大きい場合には、ダイレクトゲート(９)からキャビティ部(95)へ流入する樹脂材料の流路が安定しないため、樹脂成型品の表面にフローマーク等の外観不良が発生する問題があった。
【０００７】
そこで本発明の目的は、フローマーク等の外観不良を抑制することが出来る樹脂成型品を提供することである。
【課題を解決するための手段】
【０００８】
本発明に係る樹脂成型品は、ベース部から立ち上がる立上り壁(４)を有し、該立上り壁(４)の上端面には、樹脂成型時に樹脂材料を注入して形成されるゲート部(５)が露出している。
そして、立上り壁(４)の外観側とは反対側の内面(41)には、前記ゲート部(５)を挟んで両側部に、立上り壁(４)の肉厚を立上り壁(４)の上端面へ向かって徐々に減少させる絞り面(51)(51)が形成されている。
【０００９】
本発明に係る樹脂成型品の製造方法において、樹脂成型に用いる金型は、前記立上り壁(４)を形成するためのキャビティ(63)を有し、該キャビティ(63)において、立上り壁(４)の外観側とは反対側の内面(41)を形成するための金型面には、前記ゲート部(５)となる位置を挟んで両側部に、立上り壁(４)の肉厚を立上り壁(４)の上端面へ向かって徐々に減少させる絞り面(51)(51)を形成するための絞り面形成部(67)が設けられている。
より具体的には、前記キャビティにおいて、立上り壁の外観側とは反対側の内面を形成するための金型面には、絞り面から逆円錐面状に突出するゲート部を形成するためのゲート部形成部が凹設されている。
【００１０】
本発明に係る樹脂成型品の製造方法においては、ダイレクトゲート(６)を用いて樹脂材料をキャビティ(63)に注入する。
これによって立上り壁(４)が形成される。この際、キャビティ(63)の絞り面形成部(67)によって、立上り壁(４)の外観側とは反対側の内面(41)には、ゲート部(５)の両側に、立上り壁(４)の肉厚を立上り壁(４)の上端面へ向かって徐々に減少させる絞り面(51)(51)が形成されることになる。
【００１１】
ここで、立上り壁(４)を形成するためのキャビティ(63)は、絞り面形成部(67)によって肉厚方向に狭くなっているので、ダイレクトゲート(６)からキャビティ(63)へ注入された樹脂材料は、絞り面形成部(67)に沿って流れ、流路が安定することになる。
【発明の効果】
【００１２】
本発明に係る樹脂成型品によれば、金型のキャビティへ注入された樹脂材料の流路が安定したものとなるので、フローマーク等の外観不良を抑制することが出来る。
【図面の簡単な説明】
【００１３】
【図１】図１は、本発明を実施すべきテレビジョン受像機の斜視図である。
【図２】図２は、本発明を実施したフロントキャビネットの一部破断斜視図である。
【図３】図３は、該フロントキャビネットの要部を示す平面図である。
【図４】図４は、該フロントキャビネットの要部を示す斜視図である。
【図５】図５は、本発明の樹脂成型に用いる金型の要部を示す断面図である。
【図６】図６は、従来のフロントキャビネットの一部を示す斜視図である。
【図７】図７は、従来の樹脂成型に用いる金型の要部を示す断面図である。
【発明を実施するための形態】
【００１４】
以下、本発明を表示装置、より具体的にはテレビジョン受像機に実施した形態につき、図面に沿って具体的に説明する。
本発明の一実施形態であるテレビジョン受像機は、図１に示す如く、フロントキャビネット(１)とバックキャビネット(２)とを互いに接合してなる筐体を具え、フロントキャビネット(１)は、画面(11)を露出させるための大きな開口を有する前面壁となるベース壁(３)と、前面壁を包囲する周壁となる立上り壁(４)とから構成されている。
【００１５】
フロントキャビネット(１)は、図５に示す一対の金型部材(61)(62)を組み合わせてなる金型を用いて、ダイレクトゲート方式による樹脂成型によって作製される。
樹脂成型工程においては、一対の金型部材(61)(62)を組み合わせることによって、両金型部材(61)(62)間にキャビティ(63)が形成され、該キャビティ(63)に対してダイレクトゲート(６)から直接に樹脂材料が注入される。
尚、図１に示されるフロントキャビネット(１)の樹脂成型では、キャビティ(63)に対して複数のダイレクトゲート(６)から樹脂材料が注入される。
【００１６】
図２乃至図４は、上記金型を用いた樹脂成型されたフロントキャビネット(１)において、前記ダイレクトゲートから樹脂材料が注入されて形成されたゲート部(５)の近傍部分を示している。
フロントキャビネット(１)は、上述の如くベース壁(３)から立ち上がる立上り壁(４)を有し、該立上り壁(４)の上端面には、樹脂成型時に樹脂材料を注入して形成されるゲート部(５)が露出している。
【００１７】
立上り壁(４)の外観側とは反対側の内面(41)には、ゲート部(５)を挟んで両側部に、立上り壁(４)の肉厚を立上り壁(４)の上端面へ向かって徐々に減少させる絞り面(51)(51)が形成されている。
絞り面(51)(51)は、立上り壁(４)の内面(41)とは交叉角度の小さな斜面、又は内面(41)とは滑らかに繋がった円弧面、若しくはこの様な斜面と円弧面の組合せから形成されており、絞り面(51)(51)と内面(41)の境界部分には段差は存在しない。
【００１８】
又、ゲート部(５)は、絞り面(51)(51)から一部が突出し、該突出部は、頂点が立上り壁(４)の内面(41)に位置して該頂点からゲート部(５)の上端面に向かって扇形に拡がる逆円錐面の外周面を露出させている。
【００１９】
上記フロントキャビネット(１)を樹脂成型するべく、図５に示す金型のキャビティ(63)においては、前記ゲート部(５)を形成するためのゲート部形成部(66)が設けられている。
又、該キャビティ(63)において、前記立上り壁(４)の内面(41)を形成するための金型面には、ゲート部形成部(66)を挟んで両側部に、前記絞り面(51)(51)を形成するための絞り面形成部(67)が設けられている。
【００２０】
上記金型を用いたフロントキャビネット(１)の樹脂成型工程においては、立上り壁(４)を形成するための第２キャビティ部(65)が、絞り面形成部(67)によって肉厚方向に狭くなっているので、ダイレクトゲート(６)から第２キャビティ部(65)へ注入された樹脂材料は、絞り面形成部(67)に沿って流れ、流路が安定することになる。
従って、フロントキャビネット(１)の樹脂成型時に生じるフローマーク等の外観不良を抑制することが出来る。
【００２１】
尚、本発明の各部構成は上記実施の形態に限らず、特許請求の範囲に記載の技術的範囲内で種々の変形が可能である。又、本発明は、テレビジョン受像機のフロントキャビネットに限らず、立上り壁を有する種々の樹脂成型品に実施することが出来る。
【符号の説明】
【００２２】
(１)  フロントキャビネット
(２)  バックキャビネット
(４)  立上り壁
(41)  内面
(５)  ゲート部
(51)  絞り面
(６)  ダイレクトゲート
(61)  金型部材
(62)  金型部材
(63)  キャビティ
(64)  第１キャビティ部
(65)  第２キャビティ部
(66)  ゲート部形成部
(67)  絞り面形成部
【図１】
0005687523.tif 000002
【図２】
0005687523.tif 000003
【図３】
0005687523.tif 000004
【図４】
0005687523.tif 000005
【図５】
0005687523.tif 000006
【図６】
0005687523.tif 000007
【図７】
0005687523.tif 000008